(57)【要約】【課題】最近の健康ブームで、天然性化粧石鹸に対する期待が広がり、様々な成分入りの石鹸が開発されている。藍には抗菌性や抗炎症性などの機能が期待され、古くから肌着の染料として広く利用されているが、これらの有用な成分を抽出・利用した石鹸は特許として提案されていない。【解決手段】藍の種子中の水溶性成分を熱水で抽出し、この水溶液に葉藍を発酵して溶出した沈殿藍と水酸化ナトリウムを溶解する。葉藍の油溶性成分をオリーブ油などの植物油で煮出し、この藍の油溶性成分含有植物油と前述の水溶液をかき混ぜながら混合してケン化し、型枠に入れ、所定温度で静置して固化して石鹸を作る。なお、これらの抽出成分はそれぞれ単独、あるいは、組み合わせ、濃度を変えて任意の組成の石鹸を作ることも可能である。【特許請求の範囲】
【請求項１】
アルカリと植物油を原料とする石けんの製造において、石けん原料に入れる藍として、沈殿藍、乾燥葉藍の油抽出成分、および藍種子の水抽出成分からなる群から選ばれる一以上を用いることを特徴とする藍入り石けんの製造方法。
【請求項２】
前記沈殿藍が、葉藍を発酵させ、色素を溶解させた後、アルカリを加えて沈殿させた沈殿藍であって、それを溶解した水溶液に水酸化ナトリウムを溶かしたものをアルカリ原料として用いることを特徴とする請求項１の藍入り石けんの製造方法。
【請求項３】
前記藍種子の水抽出成分が、藍の種子を水に入れ、煮沸して水溶性成分を煮出した水溶液であって、それを溶解した水溶液に水酸化ナトリウムを溶かしたものをアルカリ原料として用いることを特徴とする請求項１の藍入り石けんの製造方法。
【請求項４】
前記沈殿藍および藍種子の水抽出成分が、藍の種子を水に入れ、煮沸して水溶性成分を煮出した水溶液に、葉藍を発酵させ色素を溶解させた後アルカリを加えて沈殿させた沈殿藍と水酸化ナトリウムを溶かし、それをアルカリ原料として用いることを特徴とする請求項１の藍入り石けんの製造方法。
【請求項５】
前記乾燥葉藍の油抽出成分が、乾燥した葉藍を石けん原料である植物油に入れ、加熱・煮出し、葉藍中の油溶性成分を溶解させ、不溶性成分をろ過除去した植物油であって、それを植物油原料として用いることを特徴とする請求項１ないし４のいずれかの藍入り石けんの製造方法。
【請求項６】
沈殿藍、乾燥葉藍の油抽出成分、および藍種子の水抽出成分を単独にあるいは複数あるいはすべてを用いて製造することにより藍色等の青色系統、白色系統、黄色系統、紫色系統の色彩を表現し、あるいは各色の濃淡を調節し、藍染をイメージ出来る色彩的にも美しい石けんを製造することを特徴とする請求項１ないし５のいずれかの藍入り石けんの製造方法。
【請求項７】
全体が藍入りであり、デザイン構成の組み合わせにより幾何学的な模様を構成する請求項６の藍入り石けんの製造方法。
【請求項８】
請求項１ないし７に記載した方法で製造したしたことを特徴とする藍成分入り植物油石けん。
【発明の詳細な説明】
【技術分野】
【０００１】
本発明は、葉藍の成分を含有する石けんとその製造方法に関する。
【背景技術】
【０００２】
通常の石けんは、高級脂肪酸のアルカリ金属塩でできており、洗浄を目的に作られており、動植物油に水酸化ナトリウムや水酸化カリウム等を加えて、煮沸混合した後、冷却あるいは塩析等を行って固化、成形して製造される。しかし、最近の健康ブームで肌に優しい石けんが注目され、オリーブオイルやパームオイルなどの植物油に香料、着色剤のみならず、保湿性、抗菌性、抗アレルギー性など様々な薬効成分やハーブなどが添加された石けんが作られている。
例えば、入浴、洗顔に用いる肌に優しいミネラル含有石けんとして麦飯石やウコンを添加した石けん（特許文献１）、よもぎ抽出液、魚由来のコラーゲンと塩化マグネシウム等海洋ミネラルを加えた薬用石けん（特許文献２）、石けん基材にハーブ粉末を添加したハーブ石けん（特許文献３）、化粧石けん基材に木酢液あるいは竹酢液を加えた石けん（特許文献４）、化粧石けん基材に酢を加えた石けん（特許文献５）、クマザサ抽出成分を含有する化粧石けん（特許文献６）等が提案されている。
【特許文献１】特開２００４−９９８５１号公報
【特許文献２】特開２００３−３２１３４６号公報
【特許文献３】特開２００３−２６８３９９号公報
【特許文献４】特開２００２−８０８９８号公報
【特許文献５】特開２００１−１５２１９４号公報
【発明の開示】
【発明が解決しようとする課題】
【０００３】
藍は古くから染料として利用されてきているが、藍の持つ不思議な力は万葉の昔から知られ、生活に生かされてきている。武士は鎧の下に藍染めの肌着を着て、切り傷や虫さされから守ったと言われている。藍染めの着物をタンスに入れて置くと、防虫効果があると言われている。ふぐ中毒、食あたり、熱冷ましなどの民間薬として利用されていたと言う。
藍は肌に優しい天然染料としてその良さが見直され、注目されるようになり、染毛剤としての利用が提案（特許文献６、７、８）されている。この他、藍の中には抗菌性物質が存在する溶媒抽出が行われている（特許文献９、１０、１１）。皮膚の炎症を止める機能があることから生理パッドに利用する特許などが提案されている（特許１２）。特許等を調べたが、藍成分の石けんへの応用は提案されていない。
藍の機能に着目し、石けんへの添加を試み、石けんの製造を鋭意研究してきたところである。
藍の色は水に溶けないために、発酵させて可溶化して取り出されており、ハーブのように乾燥粉末化して固化・成型時に添加しても機能発現は期待できない。葉藍成分による機能発現を期待するためには可溶化し、添加する必要があるが、ジクロロメタンやエーテルなどの有機溶媒抽出した場合、有機溶媒の除去などの課題が残る。
【特許文献６】特開２００４−２４７５号公報
【特許文献７】特開２００１−０６４１３４号公報
【特許文献８】特開２００１−０６４１３１号公報
【特許文献９】特開２００２−２８４６９６号公報
【特許文献１０】特開２００３−３９３２１９号公報
【特許文献１１】特開２００４−１８９７３２号公報
【特許文献１２】特開２００３−２５７０２４号公報
【課題を解決するための手段】
【０００４】
本発明は、以下の（１）〜（７）の藍入り石けんの製造方法を要旨とする。
（１）アルカリと植物油を原料とする石けんの製造において、石けん原料に入れる藍として、沈殿藍、乾燥葉藍の油抽出成分、および藍種子の水抽出成分からなる群から選ばれる一以上を用いることを特徴とする藍入り石けんの製造方法。
（２）前記沈殿藍が、葉藍を発酵させ、色素を溶解させた後、アルカリを加えて沈殿させた沈殿藍であって、それを溶解した水溶液に水酸化ナトリウムを溶かしたものをアルカリ原料として用いることを特徴とする（１）の藍入り石けんの製造方法。
（３）前記藍種子の水抽出成分が、藍の種子を水に入れ、煮沸して水溶性成分を煮出した水溶液であって、それを溶解した水溶液に水酸化ナトリウムを溶かしたものをアルカリ原料として用いることを特徴とする（１）の藍入り石けんの製造方法
（４）前記沈殿藍および藍種子の水抽出成分が、藍の種子を水に入れ、煮沸して水溶性成分を煮出した水溶液に、葉藍を発酵させ色素を溶解させた後アルカリを加えて沈殿させた沈殿藍と水酸化ナトリウムを溶かし、それをアルカリ原料として用いることを特徴とする（１）の藍入り石けんの製造方法
（５）前記乾燥葉藍の油抽出成分が、乾燥した葉藍を石けん原料である植物油に入れ、加熱・煮出し、葉藍中の油溶性成分を溶解させ、不溶性成分をろ過除去した植物油であって、それを植物油原料として用いることを特徴とする（１）ないし（４）のいずれかの藍入り石けんの製造方法。
（６）沈殿藍、乾燥葉藍の油抽出成分、および藍種子の水抽出成分を単独にあるいは複数あるいはすべてを用いて製造することにより藍色等の青色系統、白色系統、黄色系統、紫色系統の色彩を表現し、あるいは各色の濃淡を調節し、藍染をイメージ出来る色彩的にも美しい石けんを製造することを特徴とする（１）ないし（５）のいずれかの藍入り石けんの製造方法。
（７）全体が藍入りであり、デザイン構成の組み合わせにより幾何学的な模様を構成する（６）の藍入り石けんの製造方法。
【０００５】
また、本発明は、以下の（８）の藍入り石けんを要旨とする。
（８）（１）ないし（７）に記載した方法で製造したしたことを特徴とする藍成分入り植物油石けん。
【発明の効果】
【０００６】
本発明では、人に優しい天然植物油と水酸化ナトリウム等からなる石けんに肌に優しい色素藍を加えてなる石けんである。すなわち、藍から抽出した成分の入った水溶液あるいは植物油を用いる藍入り石けんに関するものである。藍の成分の抽出溶液は下記に記載する方法がある。なお、藍成分の抽出方法としてはこれらの方法に限定されるものではない。
精製水で藍の種子を煮沸して水溶性成分を溶出させた水溶液、葉藍を発酵させて生成した沈殿藍、乾燥藍をもう一つの原料である植物油で煮出した油溶性成分を含有した植物油などを用いる。本発明では葉藍や種子中の水溶性成分、油溶性成分、発酵により溶出し出来る成分を利用するもので、藍の成分を余すところなく利用するもので、藍の持つ機能の発現が期待される。
藍の種子を水で煮出した水溶液に沈殿藍を混合し、次いで、水酸化ナトリウムを溶解させる。この水溶液と葉藍からに油溶性成分を煮出した植物油を等温に加温して、かき混ぜながら混合し、ケン化反応を進行させ、得られた粘凋な均一混合物を型に入れて所定温度に保温しながら静置して固化・成型して石けんを製造する。
なお、藍成分の利用方法として、先に記載した３つの藍抽出物を単独にあるいは複数あるいはすべてを混合して藍入り石けんを製造することができる。沈殿藍、乾燥葉藍の油抽出成分、および藍種子の水抽出成分を単独にあるいは複数あるいはすべてを用いて製造することにより藍色等の青色系統、白色系統、黄色系統、紫色系統の色彩を表現し、あるいは各色の濃淡を調節し、藍染をイメージ出来る色彩的にも美しい石けんを製造することができる。
本発明では藍種子中の水溶性物質、葉藍の発酵溶出成分及び油溶解成分をすべて利用するもので、植物油の持つ洗浄性等の機能に加えて、藍の持つ機能がすべて付加され、人の肌に対してより優しく、敏感肌の人にも優しい石けんが製造できる。藍は肌に優しいだけでなく、肌やタオルなどの布についても染まらない等の機能を有している。
アレルギー体質の肌にも優しく、抗菌性などの効果も期待できるなど新しい化粧石けんとして有効であると考えている。
【発明を実施するための最良の形態】
【０００７】
本発明は、藍の持つ機能を活かした藍入り石けんの製造に関するものである。本発明ではオリーブオイルやパームオイルなどの植物油に香料を加え、葉藍から抽出した成分や藍の種子から抽出した水溶性成分を加えて石けんとするもので、固形石けんのみならずシャンプーなどを製造する。
藍色を抽出するためには、葉藍を水に浸漬して発酵させ、残存する葉を濾し取り、消石灰を撹拌しながら添加する。泡が出なくなったら静置して、沈殿すると上澄みを捨てて沈殿藍を取り出し、スラリー状として利用あるいは乾燥粉末として利用する場合がある。この沈殿藍を石けんの製造工程に使用するものである。
また、乾燥葉藍を石けん原料の植物オイル中に入れ、所定時間加熱して、葉藍中の油性成分を抽出し、冷却後、葉をすべて濾して除去する。このように藍抽出油を用いて石けんを製造するものである。
【０００８】
本発明の沈殿藍の製造は、通常法で行った。すなわち、生葉藍を水に漬け込み、４８〜７２時間放置して発酵させた後、藍の葉を濾す。藍が溶出した水溶液に石灰水溶液を添加し、撹拌する。泡が出なくなると静置する。上澄み液を捨て、スラリー状の沈殿藍を取り出す。水に沈殿藍を溶解した後、水酸化ナトリウムを溶かして所定濃度（10~20%）の沈殿藍入りの水酸化ナトリウム水溶液を調整する。
オリーブオイル、パームオイル、大豆油などの植物油あるいはこの混合油を加熱して４０℃程度に保ちながら等温の藍入り水酸化ナトリウム水溶液を撹拌下添加して、ケン化させる。粘凋溶液を型枠に入れ、保温箱で覆い所定時間放置して固化させて、石けんを製造するものである。
【０００９】
乾燥葉藍の油抽出成分を用いる藍入り石けんの製造方法の好ましい態様は次の通りである。乾燥葉藍を原料の植物油に添加して所定温度に加熱して、油溶性分を抽出する。この植物油から葉藍を濾別する。藍の油溶性成分を含有する植物油と等温の水酸化ナトリウム水溶液をかき混ぜながら混合してケン化する。上記の方法と同様に型枠に移して保温下に放置して固化する。
【００１０】
藍種子の水抽出成分を用いる石けんの製造方法の好ましい態様は次の通りである。藍の種子を水に入れ、所定時間煮沸して、種子中の水溶性成分を溶解させる。この水溶液に水酸化トリウムを溶解して、所定温度で植物油とかき混ぜながら混合して、ケン化・固化させて石けんを製造することもできる。この場合の藍入り石けんは黄色あるいは白色である。
【００１１】
藍入り石けん製造の上記とは別の態様、或いは全体が藍入りであり、藍特有の藍色の部分が藍染めをイメージした模様を構成する藍入り石けんの製造方法は、沈殿藍、油溶性成分含有植物油、種子の水溶性成分を含有する水溶液を組み合わせて藍入り石けんを製造するものである。種子から水溶性成分を抽出して水溶液と沈殿藍を混合した後、植物油と混合して石けんを作る場合、色の変化は白色系統より固化・熟成期間に紫色系統の石けんになる。
なお、種子中の水溶性成分を含有する水溶液と沈殿藍を利用して石けんを製造する場合、種子水溶性成分を含有する水溶液に水酸化ナトリウムを溶解し、植物油と混合してケン化させ、型枠に入れる直前の粘凋溶液に沈殿藍を混合して固化すると青色系統の石けんが製造できる。
【００１２】
本発明の石けんは３つの藍抽出物を単独にあるいは複数あるいはすべてを混合して製造することにより藍色等の青色系統、白色系統、黄色系統、紫色系統の色彩を表現することや各色の濃淡を調節し、また、デザイン構成の組み合わせにより幾何学的な模様を構成する藍染をイメージ出来る色彩的にも美しい石けんを製造することが出来る。
上記方法により製造した石けんの各種類を化粧箱へ梱包し視覚的にも様々な色彩を楽しめる機能も有するものである。
【実施例１】
【００１３】
藍種子１６ｇを３００ｍｌの精製水に入れ、１０分間煮沸した後、種子を分別する。この水溶液で８６ｇの水酸化ナトリウムを溶解して、濃度１５０ｇ／Ｌの藍成分入りの水酸化ナトリウム水溶液を作る。
４０７ｇのオリーブ油と１２０ｇのココナッツ油と６３ｇのパーム油と４４ｇのシアバターの混合植物油を所定温度（４０℃）に加温し、同温度に加温した藍入りの水酸化ナトリウム水溶液をかき混ぜながら添加する。さらに粘凋になるまでかき混ぜながらケン化させる。つぎに４５ｇの阿波藍の沈殿藍を添加し、さらにかき混ぜ混合させ成型用の型枠に流し込み、保温箱に所定時間（２４時間）静置する。
得られた石けんは藍色で、泡立ち、水切れが良く、肌になめらかで、刺激がなく、使用後の肌はしっとりし、保湿性がよく、タオルなどにも藍が残らなかった。
【実施例２】
【００１４】
実施例１で調整した石けんについて測色色差計EZ200を用いて色を測定した。測定したＬ、ａ、ｂ（Ｌが明るさ、ａは赤→緑、ｂは黄→青）を表１（石けんの色測定結果）に示す。藍の入ってない石けんを標準に藍入り石けんの色の差をΔＬ、Δａ，Δｂで示した。比較例として市販の青色化粧石けんと比較した。Ｌの数字が大きいものは明るく、小さいものほど暗い色で、ａ赤から緑で＋が赤、−は緑、ｂの＋は黄色、−は青を表している。藍入りの石けんは青色に着色しており、市販の青色石けんと同等の青に着色しており、明るい石けんであることが分かった。
次いで、この石けんを使用による着色残留性、すなわち、タオル等への色のこりを上記の装置を使用して測定した。
これらの石けんを白色のタオルにこすりつけて洗濯し、良く水洗いした後乾燥した。これを５回繰り返した後の色を未使用のタオルと比較した。その結果を表２（石けん５回使用後のタオル色）に示す。タオルの色はほぼ未処理のものと同じであり、タオルには藍色が着色しないことが分かった。
【００１５】
【表１】
2006111793.tif 000002
【００１６】
【表２】
2006111793.tif 000003
（上記表内「藍色工房使用後」とは本発明品の石けんでタオルを洗濯したものを示す。）
【実施例３】
【００１７】
乾燥した葉藍を所定量（３０ｇ）オリーブ油に入れて、所定時間（２分間）加熱し、冷却した後、葉藍をろ別して取り除く。この葉藍中の油性成分が溶解したオリーブ油は青緑色であった。この油と実施例１において調整した藍種子の水溶性成分を含有する水溶液に水酸化ナトリウムを溶解した水溶液とを所定温度（４０℃）に加温した後、かき混ぜながら混合してケン化する。さらに沈殿藍を混合し、これを成型用の型枠に流し込み、保温箱に所定時間（２４時間）静置して藍色の石けんを得た。泡立ち、洗浄力も通常のオリーブ石けんと同等であり、タオルや肌への着色もなく、使用後の肌の感触は非常に快適で、つるつるでしっとり感のある仕上がりであった。
【産業上の利用可能性】
【００１８】
藍は古くから染料として利用されてきているが、藍の持つ不思議な機能は昔から知られ、生活に生かされてきている。抗菌性があると言われ、武士は鎧の下に藍染めの肌着を着て、切り傷や虫さされから守ったと言われている。藍染めの着物をタンスに入れて置くと、防虫効果があると言われている。また、ふぐ中毒、食あたり、熱冷ましなどの民間薬として利用されていたと言う。さらに、皮膚の抗炎症性や抗アレルギー性があると言われており、これらの機能を石けんに付与することにより、抗菌、防虫効果とともに、皮膚の炎症を抑えるなどの機能が期待できる。
本発明では藍の機能性成分を３種類の方法で抽出し、それらの成分を有効に利用するものであり、且つ、これらの操作は工業的に簡易であり、実用的なプロセスである。すべて天然物を利用した肌に優しい石けんである。
藍の種子の水溶性成分を熱水で抽出し、葉藍から抽出した沈殿藍、葉藍中の油性成分を植物油中で加熱溶出させる。これらの成分を適宜混合して藍入り石けんを製造するもので、藍中の水溶性、油溶性成分のすべてを利用するものであり、藍の持つ上記機能をすべて有する石けんが期待される。
本発明の石けんは、機能面のみならず藍色等の青色系統、白色系統、黄色系統、紫色系統の色彩を表現でき、該美しい色合を組み合わせて模様を構成する藍染をイメージ出来る色彩的にも美しい石けんとして消費者に届けることができる。また、各種類を化粧箱へ梱包し視覚的にも様々な色彩を楽しめる石けん包装品として、消費者に届けることができる。